(57)【特許請求の範囲】
【請求項１】
化粧料塗布具と、化粧料を収容するための容器とを備える化粧料塗布装置であって、
前記化粧料塗布具は、化粧料を口唇に塗布するための塗布部と、先端に該塗布部が連結された支持軸とを有し、該塗布部が前記容器の口部から該容器内に出入自在であり、
前記塗布部は、錐体状に形成された錐体部を有する芯体と、該芯体の該錐体部の表面を覆う植毛とを備えており、
前記芯体の前記錐体部は、前記支持軸と同軸上に配されており、
前記容器は、前記塗布部及び前記支持軸が挿通自在な挿通部及びその周囲に形成されたしごき弁を備えており、
前記錐体部は、外形が円錐状であり、且つ最大外径が前記支持軸の外径未満であり、
前記塗布部は、植毛部分を含めた外形が円錐状であり、且つ該植毛部分を含めた最大外径が前記支持軸の外径よりも大きくなっており、
前記挿通部の内径は、前記錐体部の最大外径よりも大きく、前記支持軸の外径以下である、化粧料塗布装置。
【請求項２】
前記錐体部の基端部の外径は、前記支持軸の外径の９０％以上１００％未満である、請求項１に記載の化粧料塗布装置。
【請求項３】
前記植毛は前記芯体から略垂直に起立しており、その長さは０．５ｍｍ以上２．５ｍｍ以下である、請求項１又は２に記載の化粧料塗布装置。
【請求項４】
前記芯体は、硬度（ＪＩＳ−Ｋ６２５３）がショアＡ４０以上ショアＤ７０以下である、請求項１〜３の何れか１項に記載の化粧料塗布装置。
【請求項５】
前記錐体部は、先端より軸方向に１ｍｍ基端部側にある部分の外径である先端部の外径が、該錐体部の基端部の外径の５％以上５０％以下である、請求項１〜４の何れか１項に記載の化粧料塗布装置。
【発明の詳細な説明】
【技術分野】
【０００１】
本発明は、口紅やリップグロス等の口唇化粧料を口唇に塗布するために好適に用いられる化粧料塗布具及びこれを備える化粧料塗布装置に関する。
【背景技術】
【０００２】
口紅やリップグロス等の口唇に塗布するための化粧料塗布具として、支持軸の先端に塗布部を備えた構造のものが一般に利用されている。塗布部においては、植毛（フロック）を有するタイプ（以下、単に「フロックタイプ」ともいう）と植毛無し（スパチュラ）タイプのものとに大別される。フロックタイプの塗布部は、十分な量の化粧料を保持したい場合に採用されるものであり、化粧料の保持量を多くすることで、１回の操作によって化粧料を塗布できる面積を大きくし、塗布の操作を減らすことができる。塗布の操作を減らすことは、塗布のかすれを防止して化粧料を均一に塗布できる点から有利である。
【０００３】
上記の技術とは別に、フロックタイプの塗布部の形状として、支持軸よりも幅広で扁平状に形成された塗布部を有する化粧料塗布具が知られている（特許文献１ないし３参照）。これらの文献には、塗布部を正面視したとき、塗布部が、最広幅部から先端部に向けて漸次幅狭となった形状を有していることや、支持軸に対して斜めに傾斜して設けられていることが記載されている。これらによって、特許文献１ないし３に記載の化粧料塗布具は、塗布感触や仕上げ性、使い勝手の向上などが図られている。例えば、塗布部の先端に向かって漸次細くなっていると、化粧料を細かく塗布できるという利点があるので、唇の形状に沿った縁取りや、唇の口角の部分への化粧料の塗布が容易となる。
【先行技術文献】
【特許文献】
【０００４】
【特許文献１】特開２０１１−１３１０４３号公報
【特許文献２】特開２０１１−１３１０６４号公報
【特許文献３】特開２０１１−１６１２８４号公報
【発明の概要】
【発明が解決しようとする課題】
【０００５】
しかし、特許文献１ないし３に記載の化粧料塗布具は、組み合わせて使用される化粧料収容容器から引き抜くときに、容器内に設けられたしごき弁で、扁平状に形成された塗布部の第１の面と反対側の第２の面に付着した化粧料がしごき落とされることから、主として、第１の面のみに化粧料が保持される。このように、特許文献１ないし３に記載の化粧料塗布具は、第１の面のみに化粧料を保持させる構成なので、塗布部が保持する化粧料が半減する。そこで、より多くの化粧料を保持可能で、使い勝手に優れた化粧料塗布具が望まれていた。
【０００６】
したがって本発明の課題は、前述した従来技術が有する課題を解消し得る化粧料塗布具及びこれを備える化粧料塗布装置を提供することにある。
【課題を解決するための手段】
【０００７】
本発明は、化粧料を口唇に塗布するための塗布部と、先端に該塗布部が連結された支持軸とを有する化粧料塗布具であって、前記塗布部は、錐体状に形成された錐体部を有する芯体と、該芯体の該錐体部の表面を覆う植毛とを備えており、前記芯体の前記錐体部は、前記支持軸と同軸上に配されている、化粧料塗布具を提供するものである。
【０００８】
また本発明は、上述した化粧料塗布具と、化粧料を収容するための容器とを備え、前記塗布部が該容器の口部から該容器内に出入自在な化粧料塗布装置であって、前記容器は、前記塗布部及び前記支持軸が挿通自在な挿通部及びその周囲に形成されたしごき弁を備えており、前記挿通部の内径は、前記塗布部の前記錐体部分の基端部の外径以上、前記支持軸の外径以下である、化粧料塗布装置を提供するものである。
【発明の効果】
【０００９】
本発明の化粧料塗布具によれば、より多くの化粧料を保持可能となることで、塗布の操作回数を減らすことが可能になり、塗布のかすれを防止し、且つ化粧料を均一に塗布することができる。
また、本発明の化粧料塗布装置によれば、塗布のかすれを防止し、且つ化粧料を均一に塗布することが可能な化粧料塗布具を有する化粧料塗布装置を提供することができる。
【図面の簡単な説明】
【００１０】
【図１】図１は、本発明の化粧料塗布装置の一実施形態を示す一部破断断面図である。
【図２】図２は、図１に示す化粧料塗布装置における化粧料塗布具の断面図である。
【図３】図３（ａ）は、図２に示す塗布部の芯体の正面図であり、図３（ｂ）は図３（ａ）のＡ−Ａ線断面図であり、図３（ｃ）は図３（ａ）のＢ−Ｂ線断面図であり、図３（ｄ）は図２に示す化粧料塗布具の塗布部及びその近傍を示す、支持軸中心線に沿う縦断面図である。
【図４】図４は、図２に示す化粧料塗布具における塗布部を拡大して示す斜視図である。
【図５】図５（ａ）及び図５（ｂ）は、図２に示す化粧料塗布具の使用状態の一例を示す説明図である。
【発明を実施するための形態】
【００１１】
以下、本発明の化粧料塗布具２及び化粧料塗布装置１を、その好ましい実施形態に基づき図面を参照しながら説明する。図示する実施形態の化粧料塗布具２及び化粧料塗布装置１は、本発明の好ましい形態の一例を示すものであって、本発明はこの図面に限定されるものではない。
【００１２】
図１には、本発明の化粧料塗布装置１の一実施形態が、一部破断した状態で示されている。図１に示すように、本実施形態の化粧料塗布装置１は、液状化粧料４を塗布するための化粧料塗布具２と、液状化粧料４を収容するための容器３とを備えている。以下、化粧料塗布具２及び容器３についてそれぞれ説明する。
【００１３】
まず、容器３について説明すると、容器３は、有底の細長い円筒状のものであり、その内部に液状化粧料４を収容できるようになっている。また容器３は、容器３の軸方向における、底部と反対側の端部に口部３０を有している。口部３０は、上方に向けて開口しており、後述する塗布部２１を容器３内に出入自在に形成されている。口部３０の外周面にはネジ部３１が形成されている。このネジ部３１は、化粧料塗布具２の後述する支持軸２２の嵌合部２４の内周面２４ｂに設けられたネジ部２４ｃと螺合可能になっている。
なお、本実施形態では、容器を有底の細長い円筒状に形成したが、容器は、例えば、口部以外の形状を四角柱等の角柱形状としても良い。 
【００１４】
口部３０の内部には、化粧料塗布具２の塗布部２１及び支持軸２２に付着した過剰量の液状化粧料４を適度にしごき取るためのしごき部材３２が配されている。しごき部材３２は、外形が略円筒形状に形成されており、外部と連通するように、口部３０の開口近傍に取り付けられている。しごき部材３２は、その内部に、塗布部２１及び支持軸２２を挿通自在に形成された挿通部３３と、挿通部３３の周囲に形成されるしごき弁３４とを備えている。
【００１５】
しごき弁３４は、容器３の縦断面視において、しごき部材３２の高さ方向における略中央部に設けられており、化粧料塗布具２の塗布部２１や支持軸２２に付着した過剰量の液状化粧料４を適度にしごき取るために用いられる。この目的のために、しごき弁３４は、ゴム等の弾性変形可能な材料から形成されている。なお、容器３の縦断面とは、容器３の軸方向上にある、該軸方向と略平行な断面をいう。
またしごき弁３４は、容器３の口部３０から底部に向けて縮径した漏斗状の形状をしており、その下端に挿通部３３が設けられている。挿通部３３は、容器３の横断面視において、しごき弁３４の略中央部に形成されており、しごき弁３４が弾性変形していない状態おいて、略円孔となっている。挿通部３３は、しごき弁３４が弾性変形していない状態おいて、中心が容器３の軸上に位置するように設けられている。なお、容器３の横断面とは、容器３の軸方向と直交する断面をいう。
【００１６】
また挿通部３３は、しごき弁３４が弾性変形していない状態おいて、その直径（内径）Ｄ１が、化粧料塗布具２の塗布部２１における後述する芯体２８の外径以上、支持軸２２の外径以下に形成されている。本実施形態では、挿通部３３の直径Ｄ１は、芯体２８の錐体部２７の基端部２７ａの外径Ｄ３以上、支持軸２２の後述する支持軸本体２５の外径Ｄ２以下に形成されている。挿通部３３の直径Ｄ１をこのような大きさに形成することで、化粧料塗布具２の塗布部２１及び支持軸２２がしごき弁３４と接触しながら挿通部３３を通過する際に、化粧料塗布具２の塗布部２１及び支持軸２２に付着した過剰量の液状化粧料４が適度にしごき取られる。また、塗布部２１の後述する植毛２９の全体に、液状化粧料４を均一に付着させることができる。
なお、図１においては、しごき弁３４は、容器３の縦断面視において、しごき部材３２の高さ方向における略中央部に設けられているが、これに代えて、しごき部材３２の高さ方向における下端部に位置するように設けても良い。
【００１７】
容器３に収容される液状化粧料としては、使用環境下において、流動性を有する液状化粧料４が用いられる。そのような化粧料は、当該技術分野においてよく知られたものであり、その例として、各種口紅、リップグロスやリップカラー等と称される仕上げ用の艶出し化粧料等が挙げられる。
【００１８】
図２には、図１に示す化粧料塗布装置１における化粧料塗布具２の断面図が示されている。図３（ａ）には、図２に示す塗布部２１の芯体２８の正面図が示されており、図３（ｂ）には図３（ａ）のＡ−Ａ線断面図が示されている。図３（ｃ）には、図３（ａ）のＢ−Ｂ線断面図が示されている。図３（ｄ）は図２に示す化粧料塗布具の塗布部及びその近傍を示す、支持軸中心線に沿う縦断面図が示されている。また、図４には、図２に示す化粧料塗布具２における塗布部２１を拡大した斜視図が示されている。
【００１９】
図２に示すように、容器３と組み合わせて使用される化粧料塗布具２は、液状化粧料４を口唇に塗布するために用いられる塗布部２１と、軸方向の先端部２２ａに塗布部２１が設けられる支持軸２２と、支持軸２２の軸方向の基端部２２ｂに設けられ、容器３を封止するのに用いられる蓋体２３とを備えている。
【００２０】
蓋体２３は、有底の細長い略円筒状に形成されており、開口部から容器３の口部３０を軸方向に挿入可能に形成されている。また蓋体２３は、その内部で支持軸２２の基端部２２ｂと連結されている。本実施形態では、蓋体２３は、その内周面２３ａに、支持軸２２の基端部２２ｂに設けられる後述の嵌合部２４を嵌合させることで、支持軸２２の基端部２２ｂと連結されている。蓋体２３は、支持軸２２と同一の軸上に位置するように支持軸２２に連結されている。蓋体２３が支持軸２２の基端部２２ｂと連結されることで、蓋体２３は、化粧料塗布具２を使用する際に使用者が把持する把持部としても機能する。把持部として機能させる観点から、蓋体２３は、指先で握りやすい形状とすることが好ましい。例えば蓋体２３は、有底の細長い多角錐形状であっても良い。
【００２１】
支持軸２２は、蓋体２３の内周面２３ａと嵌合可能な上述の嵌合部２４と、嵌合部２４から突出し、先端に塗布部２１が取り付けられる支持軸本体２５とを有している。
【００２２】
嵌合部２４は、略円筒状に形成されており、蓋体２３の内周面２３ａと嵌合可能になるように、外周面２４ａの直径が、蓋体２３の内周面２３ａの直径よりも僅かに小さくなるように形成されている。嵌合部２４は、蓋体２３の内部に押し込まれることで、外周面２４ａが蓋体２３の内周面２３ａと嵌合し、蓋体２３と同一軸上で結合される。なお、嵌合部２４と蓋体２３とを結合させる場合、上述のように両者を嵌合させて結合することが好ましいが、結合の方法としては、例えば、ポンチ打ちなどで嵌合部２４を塑性変形させて固定する方法であっても良い。また、接着剤による接着など、公知の技術を適宜採用してもよい。
【００２３】
嵌合部２４の内周面２４ｂには、ネジ部２４ｃ設けられている。ネジ部２４ｃは、前述の通り、口部３０の外周面に形成されたネジ部３１と螺合可能になっている。このように、蓋体２３が結合された支持軸２２の嵌合部２４に形成されたネジ部２４ｃを、容器３の口部３０に形成されたネジ部３１に螺合させることで、容器３が蓋体２３に封止された状態になる。容器３が蓋体２３に封止された状態においては、容器３と蓋体２３とは同一軸上にあり、化粧料塗布装置１は略円柱形状となる。また、この状態においては、支持軸２２の先端部２２ａに設けられる塗布部２１は、容器３の内部において、容器３の底部よりも若干上方に位置している。
【００２４】
支持軸本体２５は、略円柱状に形成されており、嵌合部２４の横断面視における略中央部で基端部が嵌合部２４に支持されている。支持軸本体２５は、嵌合部２４に支持された状態で、軸方向が嵌合部２４の軸方向と一致している。つまり、支持軸本体２５は、嵌合部２４を蓋体２３に結合された状態において、蓋体２３の軸方向と一致するように、蓋体２３の横断面視における略中央部で、嵌合部２４に支持されている。また支持軸本体２５の先端部には、塗布部２１の後述する芯体２８を挿着可能に形成された被挿着部２５ａが設けられている。被挿着部２５ａは、支持軸本体２５の軸方向に開口した凹状に形成されている。
なお、本実施形態では、支持軸本体２５を略円柱状に形成したが、支持軸本体２５は、多角柱形状であっても良い。支持軸本体２５は、円柱状又は多角柱形状のように、スキージされた化粧料、即ち摺接するしごき弁によって錐体部２７に送られた化粧料を該錐体部２７に適量に保持させる点から、該支持軸本体２５の軸方向に沿って外形が一定の柱状であることが好ましい。
【００２５】
支持軸本体２５の外径Ｄ２としては、錐体部２７に適量の化粧料を付着させ、且つ支持軸本体２５への化粧料付着を防止する観点から、挿通部３３の直径Ｄ１（図１参照）の、好ましくは８０％以上、更に好ましくは１００％以上、また好ましくは１４０％以下、更に好ましくは１２０％以下であり、また好ましくは８０％以上１４０％以下、更に好ましくは１００％以上１２０％以下である。
【００２６】
なお、本実施形態では、支持軸２２は、嵌合部２４と支持軸本体２５とを一体で形成したが、嵌合部２４と支持軸本体２５とを別体で形成しても良い。嵌合部２４と支持軸本体２５とを別体に形成した場合、少なくとも支持軸本体２５を上述の材質により形成することが好ましい。
【００２７】
図２に示すように、塗布部２１は、支持軸本体２５の被挿着部２５ａに挿着可能に形成された挿着部２６及び挿着部２６の先端に設けられる錐体部２７を有する芯体２８と、芯体２８の錐体部２７の表面を覆う植毛２９とを備えている。
図３（ａ）に示すように挿着部２６は、略円柱状に形成されており、支持軸本体２５と同一の軸上に位置するように、支持軸本体２５の被挿着部２５ａに挿着可能に形成されている。挿着部２６は、外径が、被挿着部２５ａの内径よりも僅かに細くなるように形成されており、被挿着部２５ａに押し込むことで被挿着部２５ａと嵌合し、結合されるようになっている。なお、塗布部２１の芯体２８の挿着部２６と支持軸本体２５の被挿着部２５ａと結合させる場合、両者を嵌合させて結合することが好ましいが、結合の方法としては、ポンチ打ちなどで塗布部２１の芯体２８又は支持軸本体２５の被挿着部２５ａを塑性変形させて固定する方法であっても良い。また、接着剤による接着など、公知の技術を適宜採用してもよい。
このように、挿着部２６は、被挿着部２５ａに押し込むことで被挿着部２５ａと嵌合するので、錐体部２７のみが露出され、錐体部２７のみが塗布部２１として使用されることになる。
【００２８】
図３に示すように、錐体部２７は、基端部２７ａから先端部２７ｂに向けて断面積が暫減し先細りになる錐体状に形成されている。このような形状になることで、化粧料が塗布部２１に過剰に付着することを抑制し、容器３から引き抜いた際も、化粧料がしごき落とされることがない。それにより、例えば、化粧料を口唇に塗布した際の色かすれを防止し得る。なお、錐体状とは、円錐状の他、例えば、６角形以上の多角錐状を含む概念である。錐体部２７は、挿着部２６と同一の軸上で挿着部２６と一体形成されている。即ち、錐体部２７は、挿着部２６が被挿着部２５ａに固定された状態において、支持軸本体２５と同軸上に配されている。
【００２９】
錐体部２７の軸方向の長さとしては、唇への塗布のし易さの観点から、好ましくは７ｍｍ以上、更に好ましくは１０ｍｍ以上であり、また好ましくは１５ｍｍ以下、更に好ましくは１３ｍｍ以下であり、また好ましくは７ｍｍ以上１５ｍｍ以下、更に好ましくは１０ｍｍ以上１３ｍｍ以下である。
また、錐体部２７の基端部２７ａの外径Ｄ３（図３（ｂ）及び（ｄ）参照）としては、錐体部２７に適量の化粧料を付着させる観点から、支持軸本体２５の外径Ｄ２（図２及び図３（ｄ）参照）の、好ましくは８０％以上、更に好ましくは９０％以上であり、また好ましくは１１０％以下、更に好ましくは１００％以下であり、また好ましくは８０％以上１１０％以下、更に好ましくは９０％以上１００％以下である。
また、錐体部２７の基端部２７ａの外径Ｄ３（図３（ｂ）参照）としては、しごき弁３４によってスキージされた化粧料を錐体部２７に適量付着させる観点から、挿通部３３の直径Ｄ１（図１参照）の、好ましくは８０％以上、更に好ましくは８５％以上であり、また好ましくは１００％以下、更に好ましくは９５％以下であり、また好ましくは８０％以上１００％以下、更に好ましくは８５％以上９５％以下である。
錐体部２７の最大外径、該錐体部２７の基端部２７ａの外径Ｄ３、及び後述する該錐体部２７の先端部２７ｂの外径Ｄ４は、何れも該錐体部２７の表面に植毛がない状態で測定する。本実施形態において錐体部２７の最大外径は、該錐体部２７の基端部２７ａの外径Ｄ３である。尚、図３（ｄ）には、便宜上、錐体部２７を植毛のない状態で示している。
【００３０】
錐体部２７の先端部２７ｂの外径（図３（ｃ）参照）としては、唇の輪郭を描き易く、且つ錐体部２７斜面に適量の化粧料を保持させる観点から、基端部２７ａの外径（図３（ｂ）参照）の、好ましくは５％以上、更に好ましくは８％以上であり、また好ましくは５０％以下、更に好ましくは３０％以下であり、また好ましくは５％以上５０％以下、更に好ましくは８％以上３０％以下である。なお、先端部２７ｂの外径とは、錐体部２７の先端より軸方向に１ｍｍ基端部２７ａ側にある部分の外径をいう。
【００３１】
芯体２８の材質は、特に制限されないが、ショアＡ硬度４０度以上の熱可塑性プラスチックからなることが好ましく、またショアＤ硬度７０度以下の熱可塑性プラスチックからなることが好ましい。芯体２８の硬度は、ＪＩＳ−Ｋ６２５３に記載の方法により測定する。
芯体２８は、熱可塑性ポリエステル/エステルエラストマー、熱可塑性ポリエーテル/エステルエラストマー、アクリロニトリル、ブタジエン及びスチレンのコポリマー（ＡＢＳ）、ポリオキシメチレン（ＰＯＭ）又はポリブチルテレフタレート（ＰＢＴ）を構成樹脂とすることが好ましい。ポリオキシメチレンは、オキシメチレン（−ＣＨ2Ｏ−)を単位構造にもつポリマーであり、ホルムアルデヒドのみが重合した ホモポリマーでも良いし、オキシエチレン単位を含むコポリマーでも良い。
芯体２８が前述の材質からなると、例えば、液状化粧料４を唇に押し付けながら塗布する場合にも、芯体２８がいびつに変形しにくくなり、塗布部２１による塗布の均一性が向上する。
なお、本実施形態では、芯体２８と支持軸２２とを別体に形成したが、芯体２８と支持軸２２とを一体で形成しても良い。芯体２８と支持軸２２とを一体で形成する場合においても、上述と同様に、ショアＡ硬度４０度以上の熱可塑性プラスチックからなることが好ましく、またショアＤ硬度７０度以下の熱可塑性プラスチックからなることが好ましい。また、芯体２８と支持軸２２とを一体で形成する場合においても、熱可塑性ポリエステル/エステルエラストマー、熱可塑性ポリエーテル/エステルエラストマー、アクリロニトリル、ブタジエン及びスチレンのコポリマー（ＡＢＳ）、ポリオキシメチレン（ＰＯＭ）又はポリブチルテレフタレート（ＰＢＴ）を構成樹脂とすることが好ましい。ポリオキシメチレンは、オキシメチレン（−ＣＨ2Ｏ−)を単位構造にもつポリマーであり、ホルムアルデヒドのみが重合した ホモポリマーでも良いし、オキシエチレン単位を含むコポリマーでも良い。塗布部２１と支持軸２２とを一体で形成したものが、前述の材質からなると、例えば、液状化粧料４を唇に押し付けながら塗布する場合にも、支持軸２２及び芯体２８がいびつに変形しにくくなり、塗布部２１による塗布の均一性が向上する。
【００３２】
図２及び図４に示すように、植毛２９は芯体２８の錐体部２７の表面を覆っている。芯体２８の錐体部２７の表面が植毛２９で覆われることで、容器３に収容された液状化粧料４が錐体部２７の表面に均一に付着しやすくなる。
錐体部２７の表面に植毛２９を設ける方法としては、特に制限されず、例えば、静電植毛、散布植毛、吹き付け植毛等の各種植毛加工方法を使用することができるが、そのなかでも、本発明においては、より高密度にかつ芯部から略垂直に植毛２９を植毛できる静電植毛に用いることが好ましい。
また、植毛２９の長さは、好ましくは０．５ｍｍ以上、より好ましくは１ｍｍ以上であり、また、好ましくは２．５ｍｍ以下、より好ましくは２ｍｍ以下であり、また、好ましくは０．５〜２．５ｍｍであり、より好ましくは１〜２ｍｍである。また、植毛２９は、芯体２８から略垂直に起立していることが好ましい。  植毛２９の長さを０．５ｍｍ以上、より好ましくは１ｍｍ以上とすることにより、塗布部２１が液状化粧料４の保持性に優れたものとなり、液状化粧料を良好に保持することが可能になる。他方、植毛２９の長さを２．５ｍｍ以下、好ましくは２ｍｍ以下とすることにより、植毛が倒れやすくなることに起因する液状化粧料４の保持性の低下を防止でき、また、植毛２９が倒れやすくなることを防止するために植毛２９を太くする必要もないので、肌への刺激の問題も生じない。
液状化粧料の保持性や肌への低刺激性の観点から、植毛２９は、直径が１．７〜３．３デシテックス程度であることが好ましく、植毛２９の形成材料は、合成樹脂であることが好ましい。植毛２９の構成樹脂としては、例えば、ナイロン等のポリアミド、ＰＥＴ、ＰＢＴ等のポリエステル樹脂、レーヨン、絹、綿等のセルロース繊維、アクリル繊維、ウレタン繊維、またはそれらが混合された繊維などが挙げられる。これらのなかでも、ナイロン等のポリアミドが好ましい。
【００３３】
図５（ａ）及び図５（ｂ）には、本実施形態の化粧料塗布装置１の使用状態の一例が示されている。化粧料塗布具２を容器３から抜き出すと、塗布部２１に付着した液状化粧料４のうち、過剰量がしごき弁３４によってしごき落とされ、適量の液状化粧料４が塗布部２１の錐体部２７の表面に保持された状態になる。本実施形態では、挿通部３３の直径Ｄ１が、塗布部２１の錐体部２７の外径以上、支持軸２２の支持軸本体２５の外径以下に形成され、且つ、錐体部２７が支持軸２２と同軸上に位置しているので、しごき弁３４によって、支持軸本体２５に付着した液状化粧料４がしごき落されるが、錐体部２７に付着した液状化粧料４は過剰量のみがしごき落される。つまり、本実施形態では、しごき弁３４を通過した後においても、塗布部２１の錐体部２７の表面全体に液状化粧料４が保持された状態を維持可能になっている。
【００３４】
塗布部２１の錐体部２７の全表面に保持された液状化粧料４は、例えば、図５（ａ）に示すように、錐体部２７の先端部２７ｂで保持された液状化粧料４が用いられることで、唇の形状に沿った縁取りや、唇の口角の部分への化粧料の塗布が容易となる。また、例えば、図５（ｂ）に示すように、錐体部２７の外周面に保持された液状化粧料４が用いられることで、錐体部２７を回転させながら唇に沿って移動させながら液状化粧料４を塗布することが可能となり、錐体部２７の外周面が保持する全ての液状化粧料４を有効に使用することが可能になっている。
【００３５】
上述のとおり、本実施形態の化粧料塗布装置１及び化粧料塗布具２によれば、塗布部２１が円錐状に形成された錐体部２７を有する構成であるため、錐体部２７に付着したすべての液状化粧料を使用することができる。例えば、塗布部を扁平状に形成した場合においては、第１の面のみに保持された液状化粧料を塗布することになるが、本実施形態に係る塗布部２１は、錐体部２７の外周面の全面に保持された液状化粧料を使用することができる。そのため、例えば、塗布部を扁平状に形成した場合に比して、液状化粧料４を保持可能な保持面積を大きくすることができる。これにより、１回の操作によって化粧料を塗布できる面積を大きくし、塗布の操作を減らすことができる。その結果、塗布のかすれを防止して化粧料を均一に塗布できる。
【００３６】
また本実施形態の塗布部２１は、円錐状に形成された錐体部２７を有することから、例えば、図５（ａ）に示すように、先細りになった錐体部２７の先端部２７ｂを用いて、唇の形状に沿った縁取りや、唇の口角の部分への化粧料の塗布が容易となる。また、先細りとなった錐体部２７を有することから、唇の輪郭を描くことなく、唇全体にぼかしたようなメイクを仕上げることもできる。このように、塗布部２１を円錐状に形成することで、液状化粧料を細かく口唇に塗布することが可能になり、化粧料塗布具２及びこれを備える化粧料塗布装置１の使い勝手が向上する。
【００３７】
さらに本実施形態の塗布部２１は、円錐状に形成された錐体部２７を有することから、例えば、図５（ｂ）に示すように、錐体部２７の外周面を用いて液状化粧料を口唇に塗布することができる。例えば、錐体部２７を回転させながら唇に沿って移動させることが容易になり、錐体部２７が保持する液状化粧料４のほぼ全てを口唇に塗布することが可能になる。これにより、例えば、塗布部２１が保持する液状化粧料４が容器３内に戻されることが抑制され、液状化粧料４を衛生的に使用することができる。
【００３８】
また、本実施形態の塗布部２１の錐体部は、円錐状に形成されているため、変形しにくい。その為、塗布部２１による塗布の均一性を向上させることができる。
【００３９】
以上、本発明をその好ましい実施形態に基づき説明したが、本発明は前記実施形態に制限されない。
例えば本実施形態では、塗布部２１の錐体部２７を円錐状に形成したが、錐体部２７としてはこれに限らず、例えば、三角錐形状や四角錐形状、好ましくは、６角錐以上の多角錐形状等の錐体状としても良い。塗布部２１の錐体部は、唇に液状化粧料４を塗布する際に、軸方向を中心に、該錐体部を回転させながら唇に液状化粧料４を塗布可能な形状であればよい。
【００４０】
また本実施形態では、塗布部２１は、挿着部を被挿着部に挿着させて錐体部のみを露出させる構成を用いて説明したが、錐体部２７以外の部分も露出させた構成であっても良い。つまり、塗布部２１が錐体部２７を有する構成であればよく、塗布部２１が錐体部２７以外の部分、例えば、円柱部や角柱部等を有する構成であっても良い。この場合、錐体部２７の軸方向の長さは、使用性及び使用感の観点から、塗布部２１の軸方向の長さの、好ましくは７０％以上であり、更に好ましくは９０％以上である。
【００４１】
上述した実施形態に関し、本発明は更に以下の付記（化粧料塗布具及び化粧料塗布装置）を開示する。
＜１＞
化粧料を口唇に塗布するための塗布部と、先端に該塗布部が連結された支持軸とを有する化粧料塗布具であって、前記塗布部は、錐体状に形成された錐体部を有する芯体と、該芯体の該錐体部の表面を覆う植毛とを備えており、前記芯体の前記錐体部は、前記支持軸と同軸上に配されている、化粧料塗布具。
＜２＞
前記錐体部の軸方向の長さが、好ましくは７ｍｍ以上、更に好ましくは１０ｍｍ以上であり、また好ましくは１５ｍｍ以下、更に好ましくは１３ｍｍ以下であり、また好ましくは７ｍｍ以上１５ｍｍ以下、更に好ましくは１０ｍｍ以上１３ｍｍ以下である、前記＜１＞に記載の化粧料塗布具。
＜３＞
前記錐体部の軸方向の長さは、前記塗布部の軸方向の長さの、好ましくは７０％以上であり、更に好ましくは９０％以上である、前記＜１＞又は＜２＞に記載の化粧料塗布具。
＜４＞
前記錐体部の基端部の外径が、前記支持軸の外径の、好ましくは８０％以上、更に好ましくは９０％以上であり、また好ましくは１１０％以下、更に好ましくは１００％以下であり、また好ましくは８０％以上１１０％以下、更に好ましくは９０％以上１００％以下である、前記＜１＞〜＜３＞の何れか１に記載の化粧料塗布具。
＜５＞
前記錐体部は、円錐状に形成されている、前記＜１＞〜＜４＞の何れか１に記載の化粧料塗布具。
＜６＞
前記錐体部の最大外径は、前記支持軸の外径以下である、前記＜１＞〜＜５＞の何れか１に記載の化粧料塗布具。
【００４２】
＜７＞
前記芯体は、硬度（ＪＩＳ−Ｋ６２５３）が、好ましくはショアＡ４０以上、更に好ましくはショアＡ７０以上、また好ましくはショアＤ７０以下、更に好ましくはショアＤ５５以下であり、また好ましくはショアＡ４０以上ショアＤ７０以下であり、更に好ましくはショアＡ７０以上ショアＤ５５以下である、前記＜１＞〜＜６＞の何れか１に記載の化粧料塗布具。
＜８＞
前記錐体部は、先端部の外径が基端部の外径の、好ましくは５％以上、更に好ましくは８％以上であり、また好ましくは５０％以下、更に好ましくは３０％以下であり、また好ましくは５％以上５０％以下、更に好ましくは８％以上３０％以下である、前記＜１＞〜＜７＞の何れか１に記載の化粧料塗布具。
＜９＞
前記＜１＞〜＜８＞の何れか１に記載の化粧料塗布具を用いた口唇の化粧方法であって、液状化粧料を保持した前記錐体部を回転させながら口唇に沿って移動させることによって、該液状化粧料を口唇に塗布する、口唇の化粧方法。
＜１０＞
前記＜１＞〜＜８＞の何れか１に記載の化粧料塗布具と、化粧料を収容するための容器とを備え、前記塗布部が該容器の口部から該容器内に出入自在な化粧料塗布装置であって、前記容器は、前記塗布部及び前記支持軸が挿通自在な挿通部及びその周囲に形成されたしごき弁を備えており、前記挿通部の内径は、前記塗布部の前記錐体部の基端部の外径以上、前記支持軸の外径以下である、化粧料塗布装置。
＜１１＞
化粧料塗布具と、化粧料を収容するための容器とを備え、前記塗布部が該容器の口部から該容器内に出入自在な化粧料塗布装置であって、
前記化粧料塗布具は、化粧料を口唇に塗布するための塗布部と、先端に該塗布部が連結された支持軸とを有しており、
前記塗布部は、錐体状に形成された錐体部を有する芯体と、該芯体の該錐体部の表面を覆う植毛とを備えており、
前記芯体の前記錐体部は、前記支持軸と同軸上に配されており、
前記容器は、前記塗布部及び前記支持軸が挿通自在な挿通部及びその周囲に形成されたしごき弁を備えている、化粧料塗布装置。
＜１２＞
前記挿通部の内径は、前記塗布部の前記錐体部の基端部の外径以上である、前記＜１１＞に記載の化粧料塗布装置。
＜１３＞
前記挿通部の内径は、前記支持軸の外径以下である、前記＜１１＞に記載の化粧料塗布装置。
＜１４＞
前記錐体部の基端部の外径が、前記挿通部の直径の、好ましくは８０％以上、更に好ましくは８５％以上であり、また好ましくは１００％以下、更に好ましくは９５％以下であり、また好ましくは８０％以上１００％以下、更に好ましくは８５％以上９５％以下である、前記＜１０＞〜＜１３＞の何れか１に記載の化粧料塗布装置。
【符号の説明】
【００４３】
１  化粧料塗布装置
２  化粧料塗布具
３  容器
４  液状化粧料
２１  塗布部
２２  支持軸
２３  蓋体
２５  支持軸本体
２６  挿着部
２７  錐体部
２７ａ  錐体部の基端部
２７ｂ  錐体部の先端部
２８  芯体
２９  植毛
３０  口部
３１  ネジ部
３２  しごき部材
３３  挿通部
３４  しごき弁
Ｄ１  挿通部の直径
Ｄ２  支持軸本体の外径
Ｄ３  錐体部の基端部の外径
Ｄ４  錐体部の先端部の外径
【図１】
0006357561.tif 000002
【図２】
0006357561.tif 000003
【図３】
0006357561.tif 000004
【図４】
0006357561.tif 000005
【図５】
0006357561.tif 000006